(57)【要約】【課題】画像に濃度ムラや濃度の希薄化が発生してしまうことを防止することができる画像形成装置及び画像形成システムを提供する。【解決手段】トナー像を記録紙に転写する二次転写部対向ローラ６３と、交流電圧と直流電圧とを重畳した重畳電圧を出力する重畳電源２１０と、出力された重畳電圧を二次転写部対向ローラ６３に印加させるか否かを切り替えるＡＣ用リレー２２５と、重畳電圧で二次転写部対向ローラ６３を印加する場合、重畳電源２１０から重畳電圧が出力されている状態で当該重畳電圧を二次転写部対向ローラ６３に印加させるようにＡＣ用リレー２２５を切り替える電源制御部と、を備える。【選択図】図５
2014059433.tif 000002
【特許請求の範囲】
【請求項１】
トナー像を被転写体に転写する転写手段と、
交流電圧と直流電圧とを重畳した重畳電圧を出力する重畳電源手段と、
出力された前記重畳電圧を前記転写手段に印加させるか否かを切り替える切替手段と、
前記重畳電圧で前記転写手段を印加する場合、前記重畳電源手段から前記重畳電圧が出力されている状態で当該重畳電圧を前記転写手段に印加させるように前記切替手段を切り替える電源制御手段と、
を備える画像形成装置。
【請求項２】
前記電源制御手段は、第１タイミングで前記重畳電源手段に前記直流電圧を出力させ、第２タイミングで前記重畳電源手段に前記交流電圧を出力させ、前記第１タイミング及び前記第２タイミングよりも遅い第３タイミングで前記切替手段を切り替える請求項１に記載の画像形成装置。
【請求項３】
前記電源制御手段は、前記第３タイミングよりも遅い第４タイミングで、前記重畳電源手段に前記直流電圧及び前記交流電圧の出力を終了させるとともに、前記重畳電圧を前記転写手段に印加させないように前記切替手段を切り替える請求項２に記載の画像形成装置。
【請求項４】
前記第１タイミング、前記第２タイミング、前記第３タイミング、及び前記第４タイミングは、印刷開始基準信号を基準としたタイミングである請求項２又は３に記載の画像形成装置。
【請求項５】
前記電源制御手段は、前記第３タイミングよりも遅い第４タイミングで前記重畳電圧を前記転写手段に印加させないように前記切替手段を切り替え、前記第４タイミングよりも遅い第５タイミングで前記重畳電源手段に前記直流電圧及び前記交流電圧の出力を終了させる請求項２に記載の画像形成装置。
【請求項６】
前記第１タイミング及び前記第２タイミングは、印刷ジョブの開始を基準としたタイミングであり、
前記第３タイミング及び前記第４タイミングは、印刷開始基準信号を基準としたタイミングであり、
前記第５タイミングは、印刷ジョブの終了を基準としたタイミングである請求項２又は５に記載の画像形成装置。
【請求項７】
画像形成装置を有する画像形成システムであって、
前記画像形成装置は、
トナー像を被転写体に転写する転写手段と、
交流電圧と直流電圧とを重畳した重畳電圧を出力する重畳電源手段と、
出力された前記重畳電圧を前記転写手段に印加させるか否かを切り替える切替手段と、
を備え、
前記画像形成システムは、
前記重畳電圧で前記転写手段を印加する場合、前記重畳電源手段から前記重畳電圧が出力されている状態で当該重畳電圧を前記転写手段に印加させるように前記切替手段を切り替える電源制御手段を備える画像形成システム。
【発明の詳細な説明】
【技術分野】
【０００１】
本発明は、画像形成装置及び画像形成システムに関する。
【背景技術】
【０００２】
電子写真方式の画像形成装置では、一様に帯電された像担持体上に静電潜像を形成し、形成した静電潜像をトナーで現像してトナー像を形成し、形成したトナー像を記録紙に転写して定着することにより、記録紙に画像を形成する。
【０００３】
ところで、記録紙には、通常、凹凸が存在し、凹部は凸部に比べてトナーが転写されにくいため、凹凸の大きい記録紙に画像を形成する場合、凹部にトナーが転写されず画像に白抜けなどの濃度ムラが発生してしまうことがある。
【０００４】
このため、例えば特許文献１には、被転写体の凹凸の大きさに応じて、直流電圧を転写部に印加して被転写体への画像の転写を行うか、直流電圧と交流電圧とを重畳した重畳電圧を転写部に印加して被転写体への画像の転写を行うかを、リレーで切り替える技術が開示されている。
【発明の概要】
【発明が解決しようとする課題】
【０００５】
しかしながら、上述した従来技術では、重畳電圧で転写部を印加する場合、直流電圧で転写部を印加する場合に比べ、直流電圧の立ち上がりに時間を要してしまう場合があり、この影響で画像に濃度ムラや濃度の希薄化が発生するおそれがある。
【０００６】
本発明は、上記事情に鑑みてなされたものであり、画像に濃度ムラや濃度の希薄化が発生してしまうことを防止することができる画像形成装置及び画像形成システムを提供することを目的とする。
【課題を解決するための手段】
【０００７】
上述した課題を解決し、目的を達成するために、本発明の一態様にかかる画像形成装置は、トナー像を被転写体に転写する転写手段と、交流電圧と直流電圧とを重畳した重畳電圧を出力する重畳電源手段と、出力された前記重畳電圧を前記転写手段に印加させるか否かを切り替える切替手段と、前記重畳電圧で前記転写手段を印加する場合、前記重畳電源手段から前記重畳電圧が出力されている状態で当該重畳電圧を前記転写手段に印加させるように前記切替手段を切り替える電源制御手段と、を備える。
【０００８】
また、本発明の別の態様にかかる画像形成システムは、画像形成装置を有する画像形成システムであって、前記画像形成装置は、トナー像を被転写体に転写する転写手段と、交流電圧と直流電圧とを重畳した重畳電圧を出力する重畳電源手段と、出力された前記重畳電圧を前記転写手段に印加させるか否かを切り替える切替手段と、を備え、前記画像形成システムは、前記重畳電圧で前記転写手段を印加する場合、前記重畳電源手段から前記重畳電圧が出力されている状態で当該重畳電圧を前記転写手段に印加させるように前記切替手段を切り替える電源制御手段を備える。
【発明の効果】
【０００９】
本発明によれば、画像に濃度ムラや濃度の希薄化が発生してしまうことを防止することができるという効果を奏する。
【図面の簡単な説明】
【００１０】
【図１】図１は、第１実施形態の印刷装置の一例を示す機械的構成図である。
【図２】図２は、第１実施形態の画像形成部の一例を示す機械的構成図である。
【図３】図３は、第１実施形態の二次転写電源で重畳バイアスを二次転写部対向ローラに印加した場合の記録紙へのトナー付着原理の一例の説明図である。
【図４】図４は、第１実施形態の印刷装置の電気的構成の一例を示すブロック図である。
【図５】図５は、第１実施形態の二次転写電源の電気的構成の一例を示すブロック図である。
【図６】図６は、重畳バイアスによる高圧出力とＤＣバイアスによる高圧出力との立ち上がりタイミングの一例の説明図である。
【図７】図７は、重畳バイアスで高圧出力を行う場合の一例のタイミングチャート図である。
【図８】図８は、第１実施形態の印刷装置で行われる転写制御処理の一例を示すフローチャートである。
【図９】図９は、第２実施形態の印刷装置の電気的構成の一例を示すブロック図である。
【図１０】図１０は、重畳バイアスで高圧出力を行う場合の一例のタイミングチャート図である。
【図１１】図１１は、第２実施形態の印刷装置で行われる転写制御処理の一例を示すフローチャートである。
【図１２】図１２は、第３実施形態の印刷装置の電気的構成の一例を示すブロック図である。
【図１３】図１３は、第３実施形態の二次転写電源の電気的構成の一例を示すブロック図である。
【図１４】図１４は、重畳バイアスで高圧出力を行う場合の一例のタイミングチャート図である。
【図１５】図１５は、第４実施形態の印刷装置６０１の電気的構成の一例を示すブロック図である。
【図１６】図１６は、第４実施形態の二次転写電源７００の電気的構成の一例を示すブロック図である。
【図１７】図１７は、第５実施形態の印刷装置８０１の電気的構成の一例を示すブロック図である。
【図１８】図１８は、第６実施形態の印刷装置９０１の電気的構成の一例を示すブロック図である。
【図１９】図１９は、第６実施形態の二次転写電源１０００の電気的構成の一例を示すブロック図である。
【図２０】図２０は、変形例５の説明図である。
【図２１】図２１は、変形例６の説明図である。
【図２２】図２２は、変形例７の説明図である。
【図２３】図２３は、変形例８の説明図である。
【図２４】図２４は、変形例９の説明図である。
【図２５】図２５は、変形例１０の印刷システムの一例を示す外観図である。
【図２６】図２６は、変形例１０のサーバ装置の一例を示すハードウェア構成図である。
【発明を実施するための形態】
【００１１】
以下、添付図面を参照しながら、本発明にかかる画像形成装置及び画像形成システムの実施形態を詳細に説明する。以下の各実施形態では、本発明の画像形成装置を電子写真方式のカラー印刷装置、具体的には、イエロー（Ｙ）、マゼンダ（Ｍ）、シアン（Ｃ）、及びブラック（Ｋ）の４色の色成分画像を記録紙上で重ね合わせて画像を形成する印刷装置に適用した場合を例に取り説明するが、これに限定されるものではない。本発明の画像形成装置は、電子写真方式で画像を形成する装置であれば、カラー、モノクロを問わず適用でき、例えば、電子写真方式の複写機や複合機（ＭＦＰ：Multifunction  Peripheral）などにも適用できる。なお、複合機とは、印刷機能、複写機能、スキャナ機能、及びファクシミリ機能のうち少なくとも２つの機能を有する装置である。
【００１２】
（第１実施形態）
まず、第１実施形態の印刷装置の構成について説明する。
【００１３】
図１は、第１実施形態の印刷装置１の一例を示す機械的構成図である。図１に示すように、印刷装置１は、画像形成部１０Ｙ、１０Ｍ、１０Ｃ、及び１０Ｋと、中間転写ベルト６０と、支持ローラ６１、６２と、二次転写部対向ローラ（斥力ローラ）６３と、二次転写ローラ６４と、用紙カセット７０と、給紙ローラ７１と、搬送ローラ対７２と、定着装置９０と、二次転写電源２００とを、備える。
【００１４】
画像形成部１０Ｙ、１０Ｍ、１０Ｃ、及び１０Ｋは、図１に示すように、中間転写ベルト６０の移動方向（矢印ａ方向）の上流側から、画像形成部１０Ｙ、１０Ｍ、１０Ｃ、１０Ｋの順番で中間転写ベルト６０に沿って配置されている。
【００１５】
図２は、第１実施形態の画像形成部１０Ｙの一例を示す機械的構成図である。図２に示すように、画像形成部１０Ｙは、感光体ドラム１１Ｙと、帯電装置２０Ｙと、現像装置３０Ｙと、一次転写ローラ４０Ｙと、クリーニング装置５０Ｙとを、備える。画像形成部１０Ｙ及び図示せぬ照射装置は、感光体ドラム１１Ｙ上で作像プロセス（帯電工程、照射工程、現像工程、転写工程、及びクリーニング工程）を行うことにより、感光体ドラム１１Ｙ上にイエローのトナー像（色成分画像）を形成し、中間転写ベルト６０に転写する。
【００１６】
なお、画像形成部１０Ｍ、１０Ｃ、及び１０Ｋは、いずれも画像形成部１０Ｙと共通の構成要素を備えており、画像形成部１０Ｍは、作像プロセスを行うことによりマゼンタのトナー像を形成し、画像形成部１０Ｃは、作像プロセスを行うことによりシアンのトナー像を形成し、画像形成部１０Ｋは、作像プロセスを行うことによりブラックのトナー像を形成する。このため、以下では、画像形成部１０Ｙの構成要素についての説明を主に行い、画像形成部１０Ｍ、１０Ｃ、及び１０Ｋの構成要素については、画像形成部１０Ｙの構成要素の符号に付したＹに替えてそれぞれＭ、Ｃ、Ｋを付すに留め（図１参照）、その説明を省略する。
【００１７】
感光体ドラム１１Ｙは、像担持体であり、図示せぬ感光体ドラム駆動装置により矢印ｂ方向に回転駆動される。感光体ドラム１１Ｙは、例えば、外径６０ｍｍの有機感光体である。感光体ドラム１１Ｍ、１１Ｃ、及び１１Ｋについても同様に、図示せぬ感光体ドラム駆動装置により矢印ｂ方向に回転駆動される。
【００１８】
なお、ブラック用の感光体ドラム１１Ｋと、カラー用の感光体ドラム１１Ｙ、１１Ｍ、及び１１Ｃとを、独立して回転駆動できるようにしてもよい。これにより、モノクロ画像を形成する場合にはブラック用の感光体ドラム１１Ｋのみを回転駆動し、カラー画像を形成する場合には感光体ドラム１１Ｙ、１１Ｍ、１１Ｃ、及び１１Ｋを同時に回転駆動させることができる。
【００１９】
まず、帯電工程では、帯電装置２０Ｙは、回転駆動されている感光体ドラム１１Ｙの表面を帯電する。具体的には、帯電装置２０Ｙは、例えばローラ形状の導電性弾性体である帯電ローラ（図示省略）に対して直流電圧に交流電圧を重畳した電圧を印加する。これにより、帯電装置２０Ｙは、帯電ローラと感光体ドラム１１Ｙとの間で直接放電を起こし、感光体ドラム１１Ｙを所定の極性、例えば、マイナス極性に帯電する。
【００２０】
続いて、照射工程では、図示せぬ照射装置は、感光体ドラム１１Ｙの帯電面に光変調されたレーザ光Ｌを照射し、感光体ドラム１１Ｙの表面に静電潜像を形成する。この結果、レーザ光Ｌが照射され感光体ドラム１１Ｙの表面部分の電位の絶対値が低下した部分が静電潜像（画像部）となり、レーザ光Ｌが照射されず電位の絶対値が高く保たれた部分が地肌部となる。
【００２１】
続いて、現像工程では、現像装置３０Ｙは、感光体ドラム１１Ｙ上に形成された静電潜像をイエロートナーで現像し、感光体ドラム１１Ｙ上にイエローのトナー像を形成する。
【００２２】
現像装置３０Ｙは、収容容器３１Ｙと、収容容器３１Ｙに収容された現像スリーブ３２Ｙと、収容容器３１Ｙに収容されたスクリュー部材３３Ｙとを、備える。収容容器３１Ｙには、イエロートナーとキャリアとを有する２成分現像剤が収容されている。現像スリーブ３２Ｙは、現像剤担持体であり、収容容器３１Ｙの開口部を介して感光体ドラム１１Ｙと対向するように配置されている。スクリュー部材３３Ｙは、現像剤を攪拌しながら搬送する攪拌部材である。スクリュー部材３３Ｙは、現像スリーブ側となる現像剤の供給側と、図示せぬトナー補給装置から供給を受ける受給側とに配置され、図示せぬ軸受け部材によって収容容器３１Ｙに回転自在に支持されている。
【００２３】
続いて、転写工程では、一次転写ローラ４０Ｙは、感光体ドラム１１Ｙ上に形成されたイエローのトナー像を中間転写ベルト６０に転写する。なお、感光体ドラム１１Ｙ上には、トナー像の転写後においても未転写トナーが僅かながら残存する。
【００２４】
一次転写ローラ４０Ｙは、例えば導電性のスポンジ層を有する弾性ローラであり、中間転写ベルト６０の裏面から感光体ドラム１１Ｙに対して押し当てられるように配置されている。なお、弾性ローラには、一次転写バイアスとして定電流制御されたバイアスが印加されている。一次転写ローラ４０Ｙは、例えば、外形が１６ｍｍであり、心金径が１０ｍｍであり、スポンジ層の抵抗Ｒの値が約３Ｅ７Ωである。なお、スポンジ層の抵抗Ｒの値は、接地された外径３０ｍｍの金属ローラを１０Ｎで押し当てた状態で一次転写ローラ４０Ｙの心金に電圧Ｖを１０００Ｖ印加したときに流れる電流Ｉからオームの法則（Ｒ＝Ｖ／Ｉ）を用いて算出した値である。
【００２５】
続いて、クリーニング工程では、クリーニング装置５０Ｙは、感光体ドラム１１Ｙ上に残存している未転写トナーを払拭する。クリーニング装置５０Ｙは、クリーニングブレード５１Ｙと、クリーニングブラシ５２Ｙとを、備える。クリーニングブレード５１Ｙは、感光体ドラム１１Ｙの回転方向に対してカウンタ方向から感光体ドラム１１Ｙと当接している状態で感光体ドラム１１Ｙの表面をクリーニングする。クリーニングブラシ５２Ｙは、感光体ドラム１１Ｙの回転方向と逆方向に回転しながら感光体ドラム１１Ｙと接触している状態で感光体ドラム１１Ｙの表面をクリーニングする。
【００２６】
図１に戻り、中間転写ベルト６０は、支持ローラ６１、６２や二次転写部対向ローラ６３などの複数のローラに掛け回されたエンドレスのベルトであり、支持ローラ６１、６２の一方が回転駆動させられることにより矢印ａ方向に無端移動する。中間転写ベルト６０には、まず、画像形成部１０Ｙによりイエローのトナー像が転写され、続いて、画像形成部１０Ｍによりマゼンタのトナー像、画像形成部１０Ｃによりシアンのトナー像、画像形成部１０Ｋによりブラックのトナー像が順次重畳して転写される。これにより、中間転写ベルト６０上にフルカラーのトナー像（フルカラーの画像）が形成される。そして中間転写ベルト６０は、形成されたフルカラーのトナー像を二次転写部対向ローラ６３と二次転写ローラ６４との間に搬送する。中間転写ベルト６０は、例えば、厚さが２０〜２００μｍ（好ましくは、６０μｍ程度）、体積抵抗率が６．０〜１３．０ＬｏｇΩｃｍ（好ましくは、７．５〜１２．５ＬｏｇΩｃｍ、より好ましくは、約９ＬｏｇΩｃｍ）、表面抵抗率が９．０〜１３．０ＬｏｇΩｃｍ（好ましくは、１０．０〜１２．０ＬｏｇΩｃｍ）の無端状カーボン分散ポリイミド樹脂で構成される。体積抵抗率は、三菱化学製ハイレスタ  ＨＲＳプローブ  １００Ｖ、１０ｓｅｃでの抵抗測定値であり、表面抵抗率は、三菱化学製ハイレスタ  ＨＲＳプローブ  ５００Ｖ、１０ｓｅｃでの抵抗測定値である。支持ローラ６２は接地されている。
【００２７】
用紙カセット７０には、図示せぬ各トレイに複数の記録紙が重ね合わせて収容される。記録紙は、収容されるトレイ毎に用紙の種別やサイズが異なるものとする。第１実施形態では、記録紙（被転写体の一例）は、例えば、普通紙や凹凸の大きいレザック紙であるものとするがこれに限定されるものではない。
【００２８】
給紙ローラ７１は、用紙カセット７０のトレイの最上部に位置する記録紙Ｐに当接されており、当接している記録紙Ｐを給紙する。
【００２９】
搬送ローラ対７２は、給紙ローラ７１により給紙された記録紙Ｐを、二次転写部対向ローラ６３と二次転写ローラ６４との間に（矢印ｃ方向）所定のタイミングで搬送する。
【００３０】
二次転写部対向ローラ６３及び二次転写ローラ６４は、二次転写部対向ローラ６３と二次転写ローラ６４との間の二次転写ニップ（図示省略）で、中間転写ベルト６０により搬送されたフルカラーのトナー像を、搬送ローラ対７２により搬送された記録紙Ｐ上に一括転写する。
【００３１】
二次転写部対向ローラ６３（転写手段の一例）は、例えば、外形が２４ｍｍであり、心金径が１６ｍｍであり、導電性のＮＢＲ系ゴム層である。なお、導電性のＮＢＲ系ゴム層の抵抗Ｒの値は、６．０〜１２．０ＬｏｇΩ（又はＳＵＳ）であり、好ましくは、４．０ＬｏｇΩである。二次転写ローラ６４は、例えば、外形が２４ｍｍであり、心金径が１４ｍｍであり、導電性のＮＢＲ系ゴム層である。なお、導電性のＮＢＲ系ゴム層の抵抗Ｒの値は、６．０〜８．０ＬｏｇΩであり、好ましくは、７．０〜８．０ＬｏｇΩである。二次転写ローラ６４の体積抵抗は、回転測定で測定した抵抗測定値であり、加重：５Ｎ／片側、バイアス印加：転写ローラ軸に１ＫＶ印加、１ｍｉｎ測定間にローラ１回転の抵抗測定し、平均値を体積抵抗としたものである。
【００３２】
二次転写部対向ローラ６３には、転写バイアス用の二次転写電源２００が接続されている。二次転写電源２００は、二次転写ニップでフルカラーのトナー像を記録紙Ｐに転写するために、二次転写部対向ローラ６３に電圧を印加し、二次転写部対向ローラ６３から二次転写ローラ６４を通じてＧＮＤに電流を流す。具体的には、二次転写電源２００は、ユーザ設定に応じて、直流電圧（以下、「ＤＣバイアス」と称する）のみを二次転写部対向ローラ６３に印加したり、直流電圧と交流電圧とを重畳した重畳電圧（以下、「重畳バイアス」と称する）を二次転写部対向ローラ６３に印加したりする。これにより、二次転写部対向ローラ６３と二次転写ローラ６４との間に電位差が生じ、トナーが中間転写ベルト６０から記録紙Ｐ側へ向かう電圧が生じるため、フルカラーのトナー像を記録紙Ｐに転写することができる。ここで、第１実施形態における電位差は、（二次転写部対向ローラ６３の電位）−（二次転写ローラ６４の電位）とする。
【００３３】
図３は、本実施形態の二次転写電源２００で重畳バイアスを二次転写部対向ローラ６３に印加した場合の記録紙Ｐへのトナー付着原理の一例の説明図である。重畳バイアスを二次転写部対向ローラ６３に印加した場合、交流波形となるため、二次転写部対向ローラ６３から二次転写ローラ６４へ向かう電圧及び二次転写ローラ６４から二次転写部対向ローラ６３へ向かう電圧が所定周期で切り替わる。この結果、図３に示すように、中間転写ベルト６０（図示省略）に形成されたフルカラーのトナー像のトナーＴが記録紙Ｐへ向かう方向及びその反対方向に動きだし、ある程度の電圧レベルになると、記録紙Ｐの凹部にトナーが付着する。
【００３４】
図１に戻り、定着装置９０は、フルカラーのトナー像が転写された記録紙Ｐを加熱及び加圧することにより、フルカラーのトナー像を記録紙Ｐに定着する。そして、フルカラーのトナー像が定着された記録紙Ｐは、印刷装置１の外部に排紙される。
【００３５】
図４は、第１実施形態の印刷装置１の電気的構成の一例を示すブロック図である。図４に示すように、印刷装置１は、エンジン制御部１００と、二次転写電源２００と、二次転写部対向ローラ６３とを、備える。
【００３６】
エンジン制御部１００は、エンジン制御、例えば、画像形成に関わる制御を行うものであり、Ｉ／Ｏ制御部１１０と、ＲＡＭ（Random  Access  Memory）１２０と、ＲＯＭ（Read  Only  Memory）１３０と、ＣＰＵ（Central  Processing  Unit）１４０とを、備える。
【００３７】
Ｉ／Ｏ制御部１１０は、各種信号の入出力を制御するものであり、二次転写電源２００との間でやりとりされる信号の入出力などを制御する。
【００３８】
ここで、二次転写電源２００について説明する。
【００３９】
図５は、第１実施形態の二次転写電源２００の電気的構成の一例を示すブロック図である。図５に示すように、二次転写電源２００は、重畳電源２１０と、ＡＣ用リレー２２５と、ＤＣ電源２３０とを、備えている。第１実施形態では、重畳電源２１０は、二次転写電源２００に着脱可能であるものとするが、これに限定されるものではない。
【００４０】
重畳電源２１０は、Ｄ／Ａ変換部２１１と、駆動部２１２と、昇圧部２１３と、Ｄ／Ａ変換部２１４と、駆動部２１５と、昇圧部２１６と、出力部２１７とを、備える。
【００４１】
Ｄ／Ａ変換部２１１は、Ｉ／Ｏ制御部１１０から、昇圧部２１３のＤＣ高圧出力Ｔ２（ＤＣ）の電流又は電圧を設定するＰＷＭ＿Ｔ２（ＤＣ）信号（ＤＣバイアス出力信号）が入力され、入力されたＰＷＭ＿Ｔ２（ＤＣ）信号をデジタルからアナログに変換する。
【００４２】
駆動部２１２は、Ｄ／Ａ変換部２１１によりアナログに変換されたＰＷＭ＿Ｔ２（ＤＣ）信号に従って、昇圧部２１３を駆動する。また駆動部２１２は、昇圧部２１３のＤＣ高圧出力Ｔ２（ＤＣ）の出力電流値及び出力電圧値をＩ／Ｏ制御部１１０に出力する。これは、エンジン制御部１００において、負荷状態を監視するためである。
【００４３】
昇圧部２１３は、駆動部２１２により駆動され、重畳電源２１０からのＤＣ電圧を変圧して、ＤＣ高圧出力Ｔ２（ＤＣ）を行う。また昇圧部２１３は、ＤＣ高圧出力Ｔ２（ＤＣ）の出力電流値及び出力電圧値を駆動部２１２に出力する。なお、ＤＣ高圧出力Ｔ２（ＤＣ）は、−１００μＡ（−２ｋＶ）の高圧出力である。
【００４４】
Ｄ／Ａ変換部２１４は、Ｉ／Ｏ制御部１１０から、昇圧部２１６のＡＣ高圧出力Ｔ２（ＡＣ）の電流又は電圧を設定するＰＷＭ＿Ｔ２（ＡＣ）信号（ＡＣバイアス出力信号）が入力され、入力されたＰＷＭ＿Ｔ２（ＡＣ）信号をデジタルからアナログに変換する。
【００４５】
駆動部２１５は、Ｄ／Ａ変換部２１４によりアナログに変換されたＰＷＭ＿Ｔ２（ＡＣ）信号に従って、昇圧部２１６を駆動する。また駆動部２１５は、昇圧部２１６のＡＣ高圧出力Ｔ２（ＡＣ）の出力電流値及び出力電圧値をＩ／Ｏ制御部１１０に出力する。これは、エンジン制御部１００において、負荷状態を監視するためである。
【００４６】
昇圧部２１６は、駆動部２１５により駆動され、重畳電源２１０からのＡＣ電圧を変圧し、ＡＣ高圧出力Ｔ２（ＡＣ）と昇圧部２１３からのＤＣ高圧出力Ｔ２（ＤＣ）を重畳して重畳高圧出力を行う。また昇圧部２１６は、ＡＣ高圧出力Ｔ２（ＡＣ）の出力電流値及び出力電圧値を駆動部２１５に出力する。なお、ＡＣ高圧出力Ｔ２（ＡＣ）は、１０ｋＶｐｐ（１ｍＡ）の高圧出力である。つまり、重畳電源２１０の重畳高圧出力は、−１００μＡ（−２ｋＶ）＋１０ｋＶｐｐ（１ｍＡ）の高圧出力となる。
【００４７】
出力部２１７は、ＡＣ用リレー２２５に対して昇圧部２１６の重畳高圧出力（重畳バイアスによる高圧出力）を行う。なお出力部２１７は、負荷調整用のコンデンサを有する。
【００４８】
ＡＣ用リレー２２５は、二次転写部対向ローラ６３に対して重畳高圧出力（重畳バイアスによる高圧出力）を行うか否かを切り替えるリレーであり、Ｉ／Ｏ制御部１１０から入力されるＡＣＲＹ信号によりオン／オフが切り替えられる。ＡＣ用リレー２２５は、オンである場合、二次転写部対向ローラ６３に対して重畳高圧出力を行う。
【００４９】
このように、第１実施形態の二次転写電源２００では、二次転写部対向ローラ６３に対して重畳高圧出力を行うか否かをリレーで切り替える。
【００５０】
ＤＣ電源２３０は、Ｄ／Ａ変換部２３１と、駆動部２３２と、昇圧部２３３と、Ｄ／Ａ変換部２３４と、駆動部２３５と、昇圧部２３６と、出力部２３７とを、備える。
【００５１】
Ｄ／Ａ変換部２３１は、Ｉ／Ｏ制御部１１０から、昇圧部２３３のＤＣ高圧出力Ｔ２（−）の電流又は電圧を設定するＰＷＭ＿Ｔ２（−）信号（ＤＣバイアス出力信号）が入力され、入力されたＰＷＭ＿Ｔ２（−）信号をデジタルからアナログに変換する。
【００５２】
駆動部２３２は、Ｄ／Ａ変換部２３１によりアナログに変換されたＰＷＭ＿Ｔ２（−）信号に従って、昇圧部２３３を駆動する。また駆動部２３２は、昇圧部２３３のＤＣ高圧出力Ｔ２（−）の出力電流値及び出力電圧値をＩ／Ｏ制御部１１０に出力する。これは、エンジン制御部１００において、負荷状態を監視するためである。
【００５３】
昇圧部２３３は、駆動部２３２により駆動され、ＤＣ電源２３０からのＤＣ電圧を変圧して、ＤＣ高圧出力Ｔ２（−）を行う。また昇圧部２３３は、ＤＣ高圧出力Ｔ２（−）の出力電流値及び出力電圧値を駆動部２３２に出力する。なお、ＤＣ高圧出力Ｔ２（−）は、−１００μＡ（−１０ｋＶ）の高圧出力である。
【００５４】
Ｄ／Ａ変換部２３４は、Ｉ／Ｏ制御部１１０から、昇圧部２３６のＤＣ高圧出力Ｔ２（＋）の電流又は電圧を設定するＰＷＭ＿Ｔ２（＋）信号（逆バイアス出力信号）が入力され、入力されたＰＷＭ＿Ｔ２（＋）信号をデジタルからアナログに変換する。
【００５５】
駆動部２３５は、Ｄ／Ａ変換部２３４によりアナログに変換されたＰＷＭ＿Ｔ２（＋）信号に従って、昇圧部２３６を駆動する。また駆動部２３５は、昇圧部２３６のＤＣ高圧出力Ｔ２（＋）の出力電流値及び出力電圧値をＩ／Ｏ制御部１１０に出力する。これは、エンジン制御部１００において、負荷状態を監視するためである。
【００５６】
昇圧部２３６は、駆動部２３５により駆動され、ＤＣ電源２３０からのＤＣ電圧を変圧して、ＤＣ高圧出力Ｔ２（＋）を行う。また昇圧部２３６は、ＤＣ高圧出力Ｔ２（＋）の出力電流値及び出力電圧値を駆動部２３５に出力する。なお、ＤＣ高圧出力Ｔ２（＋）は、２ｋＶ（５０μＡ）の高圧出力である。
【００５７】
出力部２３７は、昇圧部２３３のＤＣ高圧出力Ｔ２（−）と昇圧部２３６のＤＣ高圧出力Ｔ２（＋）とを合成して、二次転写部対向ローラ６３に対してＤＣ高圧出力（ＤＣバイアスによる高圧出力）を行う。
【００５８】
ここで、重畳バイアスによる高圧出力とＤＣバイアスのみによる高圧出力とのＤＣの立ち上がりタイミングの違いについて説明する。なお、立ち上がりとは、電位差のない状態（０ｋＶ）から、プラスマイナスを問わず電位差のある状態になることである。また、参考まで、立ち下がりとは、プラスマイナスを問わず電位差のある状態から、電位差のない状態（０ｋＶ）になることである。
【００５９】
図６は、重畳バイアスによる高圧出力とＤＣバイアスによる高圧出力との立ち上がりタイミングの一例の説明図である。図６に示すように、ＤＣ電源２３０にＤＣバイアスのみで高圧出力させる場合、ＤＣ電源２３０にＤＣバイアスの出力指示（ＤＣ電源２３０へのＤＣバイアス出力信号の出力）が行われてから、ＤＣ電源２３０のバイアス値が狙いの値（−１０ｋＶ）となるまでに、５０ｍｓ要している。一方、重畳電源２１０に重畳バイアスで高圧出力させる場合、重畳電源２１０に重畳バイアス（ＤＣ）の出力指示（重畳電源２１０へのＤＣバイアス出力信号の出力）が行われてから、重畳電源２１０のバイアス値が狙いの値（−１０ｋＶ）となるまでに、２００ｍｓ要している。また、重畳電源２１０に重畳バイアス（ＡＣ）の出力指示（重畳電源２１０へのＡＣバイアス出力信号の出力）が行われてから、重畳電源２１０のバイアス値が狙いの値（１０ｋＶｐｐ）となるまでに、４５ｍｓ要している。
【００６０】
このように、重畳電源２１０に重畳バイアスで高圧出力させる場合、バイアスの出力値が大きいＤＣにＡＣを重畳するため、ＤＣバイアスのみで高圧出力させる場合に比べ、重畳バイアス（ＤＣ）のバイアス値が狙いの値となるまでに（電圧が立ち上がるまでに）時間を要してしまう。これは、二次転写電源２００の出力部２１７が有している負荷調整用のコンデンサは、ある程度の容量を備えることでＡＣの波形を維持しているが、重畳バイアス（ＤＣ）の昇圧部２１３は、定電流制御され、突入防止のために所定の低い電流で出力を行っており、負荷調整用のコンデンサによる重畳バイアス（ＤＣ）のチャージに時間がかかるためである。この結果、電圧の立ち上がり時間に遅れが生じる。なお、重畳バイアス（ＡＣ）も負荷調整用のコンデンサにチャージされるが、重畳バイアス（ＡＣ）の昇圧部２１６は、定電圧制御されており、はじめから大きな電圧を重畳しても問題が起きないため、負荷調整用のコンデンサのチャージに時間があまりかからない。
【００６１】
以上のように、バイアス値が狙いの値となるまでに要する時間は、電源や電圧の種別によって異なるため、各種バイアス出力信号の出力タイミングを制御して、バイアス値を狙いのタイミングで狙いの値とすることは煩雑である。
【００６２】
このため第１実施形態では、重畳電源２１０に重畳バイアスで高圧出力させる場合、ＡＣ用リレー２２５の切り替えで、重畳バイアスのバイアス値を狙いのタイミングで狙いの値とするようにしている。このため第１実施形態によれば、簡易な制御で重畳バイアスのバイアス値を狙いのタイミングで狙いの値とすることができる。
【００６３】
図４に戻り、ＲＡＭ１２０は、揮発性の記憶装置（メモリ）であり、ＣＰＵ１４０などの作業領域として使用される。
【００６４】
ＲＯＭ１３０は、不揮発性の読出専用の記憶装置（メモリ）であり、印刷装置１で実行される各種プログラムや印刷装置１で実行される各種処理に使用されるデータなどを記憶する。例えばＲＯＭ１３０は、二次転写電源２００に重畳バイアスで高圧出力させる場合の二次転写電源２００へのＤＣバイアス出力信号の出力タイミングである第１タイミング、二次転写電源２００へのＡＣバイアス出力信号の出力タイミングである第２タイミング、ＡＣ用リレー２２５をオフからオンに切り替えるタイミングである第３タイミング、並びにＤＣバイアス出力信号及びＡＣバイアス出力信号の出力を停止するとともに、ＡＣ用リレー２２５をオンからオフに切り替える第４タイミングを特定する特定情報を記憶する。なお、第３タイミングは、第１タイミング及び第２タイミングよりも遅いタイミングであり、第４タイミングは、第３タイミングよりも遅いタイミングである。
【００６５】
特定情報は、例えば、印刷開始基準を示す印刷開始基準信号を基準として第１タイミング〜第４タイミングを特定している。具体的には、特定情報は、第１タイミング〜第４タイミングをＣＰＵ１４０が印刷開始基準信号を受信してからの経過時間で特定している。
【００６６】
ここで、ＡＣ用リレー２２５の切り替えが完了するまでに５０ｍｓ程度の時間を要するため、第３タイミングは、狙いのタイミングよりも５０ｍｓ前とすればよい。例えば、ＣＰＵ１４０が印刷開始基準信号を受信してから狙いのタイミングまでの時間が２５０ｍｓである場合、第３タイミングは、ＣＰＵ１４０が印刷開始基準信号を受信してから２００ｍｓ経過した時点とすればよい。
【００６７】
第１タイミングは、重畳バイアス（ＤＣ）のバイアス値が狙いのタイミングまでに狙いの値（−１０ｋＶ）となるタイミングであればよく、ＣＰＵ１４０が印刷開始基準信号を受信後、かつ狙いのタイミングよりも２００ｍｓ以前であればどのようなタイミングであってもよい。例えば、ＣＰＵ１４０が印刷開始基準信号を受信してから狙いのタイミングまでの時間が２５０ｍｓである場合、第１タイミングは、ＣＰＵ１４０が印刷開始基準信号を受信してから５０ｍｓ経過した時点とすればよい。
【００６８】
第２タイミングも、重畳バイアス（ＡＣ）のバイアス値が狙いのタイミングまでに狙いの値（１０ｋＶｐｐ）となるタイミングであればよく、ＣＰＵ１４０が印刷開始基準信号を受信後、かつ狙いのタイミングよりも４５ｍｓ以前であればどのようなタイミングであってもよい。例えば、ＣＰＵ１４０が印刷開始基準信号を受信してから狙いのタイミングまでの時間が２５０ｍｓである場合、第２タイミングは、ＣＰＵ１４０が印刷開始基準信号を受信してから５０ｍｓ経過した時点とすればよい。
【００６９】
第４タイミングは、転写時間に応じて定めればよい。例えば、ＣＰＵ１４０が印刷開始基準信号を受信してから狙いのタイミングまでの時間が２５０ｍｓであり、転写時間が４５０ｍｓである場合、第４タイミングは、ＣＰＵ１４０が印刷開始基準信号を受信してから７００ｍｓ経過した時点とすればよい。
【００７０】
なお、ＲＯＭ１３０は、二次転写電源２００にＤＣバイアスのみで高圧出力させる場合の各種信号の出力タイミングを特定する特定情報も記憶しているが、ここでは、説明を省略する。
【００７１】
ＣＰＵ１４０は、印刷開始基準信号の入力を受け付けたり、オペレーションパネルなどの操作部（図示省略）から高圧出力のユーザ設定を受け付けたりする。ユーザは、例えば、記録紙が凹凸の大きいレザック紙である場合、操作部から、高圧出力のユーザ設定として「重畳バイアスで高圧出力」を入力し、記録紙が普通紙である場合、操作部から、高圧出力のユーザ設定として「ＤＣバイアスのみで高圧出力」を入力する。そしてＣＰＵ１４０は、Ｉ／Ｏ制御部１１０を介して、ユーザ設定に応じた高圧出力を二次転写電源２００に行わせる。ＣＰＵ１４０は、電源制御部１４２を含む。
【００７２】
図７は、重畳バイアスで高圧出力を行う場合の一例のタイミングチャート図である。図８は、第１実施形態の印刷装置１で行われる転写制御処理の一例を示すフローチャートであり、重畳バイアスで高圧出力を行う場合の転写制御処理を示す。
【００７３】
電源制御部１４２は、ユーザ設定が「重畳バイアスで高圧出力」である場合、ＣＰＵ１４０により印刷開始基準信号の入力が受け付けられると、経過時間の計測を開始し、逆バイアス出力信号をオンし、Ｉ／Ｏ制御部１１０から二次転写電源２００へ逆バイアス出力信号を出力させる（ステップＳ１０１）。これにより、ＤＣ電源２３０は、逆バイアスでの高圧出力を開始する。
【００７４】
続いて電源制御部１４２は、印刷開始基準信号の入力が受け付けられてからの経過時間及び特定情報を参照して、ＣＰＵ１４０への印刷開始基準信号の入力後５０ｍｓである第１、第２タイミングになると、重畳バイアス用のＤＣバイアス出力信号である重畳バイアス（ＤＣ）出力信号をオンし、Ｉ／Ｏ制御部１１０から二次転写電源２００へ重畳バイアス（ＤＣ）出力信号を出力させるとともに、重畳バイアス用のＡＣバイアス出力信号である重畳バイアス（ＡＣ）出力信号をオンし、Ｉ／Ｏ制御部１１０から二次転写電源２００へ重畳バイアス（ＡＣ）出力信号を出力させる（ステップＳ１０３）。これにより、重畳電源２１０は、重畳バイアスでの高圧出力を開始し、２００ｍｓ経過すると、狙いのバイアス値（−１０ｋＶ）となる。但し、この時点では、ＡＣ用リレー２２５がオフであるため、二次転写部対向ローラ６３へは印加されない。
【００７５】
続いて電源制御部１４２は、記録紙の先端が検知されたことがＣＰＵ１４０に通知されると、逆バイアス出力信号をオフし、Ｉ／Ｏ制御部１１０から二次転写電源２００への逆バイアス出力信号の出力を停止させる（ステップＳ１０５）。これにより、ＤＣ電源２３０は、逆バイアスでの高圧出力を終了する。
【００７６】
続いて電源制御部１４２は、印刷開始基準信号の入力が受け付けられてからの経過時間及び特定情報を参照して、ＣＰＵ１４０への印刷開始基準信号の入力後２００ｍｓである第３タイミングになると、ＡＣＲＹ信号をオンし、Ｉ／Ｏ制御部１１０から二次転写電源２００へＡＣＲＹ信号を出力させる。二次転写電源２００は、Ｉ／Ｏ制御部１１０からＡＣＲＹ信号が入力されると、ＡＣ用リレー２２５をオフからオンに切り替え（ステップＳ１０７）、５０ｍｓ程度経過すると切り替えが完了し、二次転写部対向ローラ６３に対して重畳バイアスでの高圧出力を開始する。これにより、重畳電源２１０は、ＣＰＵ１４０への印刷開始基準信号の入力後２５０ｍｓ経過までに、即ち、二次転写部対向ローラ６３及び二次転写ローラ６４がフルカラーのトナー像を記録紙Ｐ上に転写するまでに、狙いのバイアス値（−１０ｋＶ）を二次転写部対向ローラ６３に印加できる。
【００７７】
続いて電源制御部１４２は、印刷開始基準信号の入力が受け付けられてからの経過時間及び特定情報を参照して、ＣＰＵ１４０への印刷開始基準信号の入力後７００ｍｓである第４タイミングになると、重畳バイアス（ＤＣ）出力信号及び重畳バイアス（ＡＣ）出力信号をオフし、Ｉ／Ｏ制御部１１０から二次転写電源２００への重畳バイアス（ＤＣ）出力信号及び重畳バイアス（ＡＣ）出力信号の出力を停止させる（ステップＳ１０９）。これにより、重畳電源２１０は、重畳バイアスでの高圧出力を終了する。また電源制御部１４２は、第４タイミングになると、ＡＣＲＹ信号をオフし、Ｉ／Ｏ制御部１１０から二次転写電源２００へのＡＣＲＹ信号の出力を停止させる。これにより、二次転写電源２００は、ＡＣ用リレー２２５をオンからオフに切り替え（ステップＳ１０９）、５０ｍｓ程度経過すると切り替えが完了し、重畳電源２１０は、二次転写部対向ローラ６３に対する重畳バイアスでの高圧出力を終了する。
【００７８】
なお第１実施形態では、第１タイミング及び第２タイミングを同一のタイミングとし、電源制御部１４２は、重畳バイアス（ＡＣ）出力信号及び重畳バイアス（ＤＣ）出力信号を同時に出力させたが、これに限定されるものではない。前述した第１タイミング及び第２タイミングの条件を満たせば、重畳バイアス（ＡＣ）出力信号及び重畳バイアス（ＤＣ）出力信号の出力順序は問わない。
【００７９】
なお、ＤＣバイアスのみで高圧出力を行う場合については、説明を省略する。
【００８０】
以上のように第１実施形態では、重畳電源２１０に重畳バイアスで高圧出力させる場合、ＡＣ用リレー２２５の切り替えで、重畳バイアスのバイアス値を狙いのタイミングで狙いの値とするようにしている。このため第１実施形態によれば、重畳バイアスで高圧出力を行う場合であっても、二次転写を行うまでに狙いのバイアス値を二次転写部対向ローラ６３に印加できるので、画像の濃度ムラや濃度の希薄化を低減することができる。
【００８１】
なお、重畳バイアスで高圧出力を行う場合に、ＤＣバイアスで高圧出力を行う場合と同様の制御を行ってしまうと、二次転写電源２００のバイアス値が二次転写を行うまでに狙いのバイアス値に達せず、二次転写部対向ローラ６３に狙いのバイアス値を印加できないため、画像の濃度ムラや濃度の希薄化が発生してしまう。
【００８２】
特に第１実施形態によれば、ＡＣ用リレー２２５の切り替えで、重畳バイアスのバイアス値を狙いのタイミングで狙いの値とするようにしているので、簡易な制御で、二次転写を行うまでに狙いのバイアス値を二次転写部対向ローラ６３に印加できる。
【００８３】
（第２実施形態）
第２実施形態では、重畳バイアス（ＤＣ）出力信号及び重畳バイアス（ＡＣ）出力信号を第１実施形態と異なるタイミングで出力する例について説明する。以下では、第１実施形態との相違点の説明を主に行い、第１実施形態と同様の機能を有する構成要素については、第１実施形態と同様の名称・符号を付し、その説明を省略する。
【００８４】
図９は、第２実施形態の印刷装置３０１の電気的構成の一例を示すブロック図である。図９に示すように、第２実施形態の印刷装置３０１では、エンジン制御部３００のＲＯＭ３３０及びＣＰＵ３４０の電源制御部３４２が第１実施形態の印刷装置１と相違する。
【００８５】
ＲＯＭ３３０は、例えば、二次転写電源２００に重畳バイアスで高圧出力させる場合の二次転写電源２００へのＤＣバイアス出力信号の出力タイミングである第１タイミング、二次転写電源２００へのＡＣバイアス出力信号の出力タイミングである第２タイミング、ＡＣ用リレー２２５をオフからオンに切り替えるタイミングである第３タイミング、ＡＣ用リレー２２５をオンからオフに切り替えるタイミングである第４タイミング、及びＤＣバイアス出力信号及びＡＣバイアス出力信号の出力を停止するタイミングである第５タイミングを特定する特定情報を記憶する。なお、第５タイミングは、第４タイミングよりも遅いタイミングである。
【００８６】
特定情報は、例えば、印刷ジョブの開始・終了や印刷開始基準信号を基準として第１タイミング〜第５タイミングを特定している。具体的には、特定情報は、第１、第２タイミングをＣＰＵ３４０が印刷ジョブの開始を検知してからの経過時間で特定し、第３、第４タイミングをＣＰＵ３４０が印刷開始基準信号を受信してからの経過時間で特定し、第５タイミングをＣＰＵ３４０が印刷ジョブの終了を検知してからの経過時間で特定している。
【００８７】
第１、第２タイミングは、例えば、ＣＰＵ３４０が印刷ジョブの開始を検知した時点、第５タイミングは、例えば、ＣＰＵ３４０が印刷ジョブの終了を検知した時点とすればよい。なお、第３、第４タイミングは、第１実施形態と同様とすればよい。
【００８８】
図１０は、重畳バイアスで高圧出力を行う場合の一例のタイミングチャート図である。図１１は、第２実施形態の印刷装置３０１で行われる転写制御処理の一例を示すフローチャートであり、重畳バイアスで高圧出力を行う場合の転写制御処理を示す。
【００８９】
電源制御部３４２は、ユーザ設定が「重畳バイアスで高圧出力」である場合、ＣＰＵ３４０により印刷ジョブの開始が検知され、第１、第２タイミングになると、重畳バイアス（ＤＣ）出力信号をオンし、Ｉ／Ｏ制御部１１０から二次転写電源２００へ重畳バイアス（ＤＣ）出力信号を出力させるとともに、重畳バイアス（ＡＣ）出力信号をオンし、Ｉ／Ｏ制御部１１０から二次転写電源２００へ重畳バイアス（ＡＣ）出力信号を出力させる（ステップＳ２０１）。これにより、重畳電源２１０は、重畳バイアスでの高圧出力を開始し、２００ｍｓ経過すると、狙いのバイアス値（−１０ｋＶ）となる。但し、この時点では、ＡＣ用リレー２２５がオフであるため、二次転写部対向ローラ６３へは印加されない。
【００９０】
続いて電源制御部３４２は、ＣＰＵ３４０により印刷開始基準信号の入力が受け付けられると、経過時間の計測を開始し、逆バイアス出力信号をオンし、Ｉ／Ｏ制御部１１０から二次転写電源２００へ逆バイアス出力信号を出力させる（ステップＳ２０３）。これにより、ＤＣ電源２３０は、逆バイアスでの高圧出力を開始する。
【００９１】
続いて電源制御部３４２は、記録紙の先端が検知されたことがＣＰＵ３４０に通知されると、逆バイアス出力信号をオフし、Ｉ／Ｏ制御部１１０から二次転写電源２００（ＤＣ電源２３０）への逆バイアス出力信号の出力を停止させる（ステップＳ２０５）。これにより、ＤＣ電源２３０は、逆バイアスでの高圧出力を終了する。
【００９２】
続いて電源制御部３４２は、印刷開始基準信号の入力が受け付けられてからの経過時間及び特定情報を参照して、ＣＰＵ３４０への印刷開始基準信号の入力後２００ｍｓである第３タイミングになると、ＡＣＲＹ信号をオンし、Ｉ／Ｏ制御部１１０から二次転写電源２００へＡＣＲＹ信号を出力させる。二次転写電源２００は、Ｉ／Ｏ制御部１１０からＡＣＲＹ信号が入力されると、ＡＣ用リレー２２５をオフからオンに切り替え（ステップＳ２０７）、５０ｍｓ程度経過すると切り替えが完了し、二次転写部対向ローラ６３に対して重畳バイアスでの高圧出力を開始する。これにより、重畳電源２３０は、ＣＰＵ３４０への印刷開始基準信号の入力後２５０ｍｓ経過までに、即ち、二次転写部対向ローラ６３及び二次転写ローラ６４がフルカラーのトナー像を記録紙Ｐ上に転写するまでに、狙いのバイアス値（−１０ｋＶ）を二次転写部対向ローラ６３に印加できる。
【００９３】
続いて電源制御部３４２は、印刷開始基準信号の入力が受け付けられてからの経過時間及び特定情報を参照して、ＣＰＵ３４０への印刷開始基準信号の入力後７００ｍｓである第４タイミングになると、ＡＣＲＹ信号をオフし、Ｉ／Ｏ制御部１１０から二次転写電源２００へのＡＣＲＹ信号の出力を停止させる。これにより、二次転写電源２００は、ＡＣ用リレー２２５をオンからオフに切り替え（ステップＳ２０９）、５０ｍｓ程度経過すると切り替えが完了し、重畳電源２１０による二次転写部対向ローラ６３に対する重畳バイアスでの印加が終了となる。但し、重畳電源２１０は、重畳バイアスでの高圧出力を継続している。
【００９４】
続いて電源制御部３４２は、ＣＰＵ３４０により印刷ジョブの終了が検知され、第５タイミングになると、重畳バイアス（ＤＣ）出力信号及び重畳バイアス（ＡＣ）出力信号をオフし、Ｉ／Ｏ制御部１１０から二次転写電源２００への重畳バイアス（ＤＣ）出力信号及び重畳バイアス（ＡＣ）出力信号の出力を停止させる（ステップＳ２１１）。これにより、重畳電源２１０は、重畳バイアスでの高圧出力を終了する。
【００９５】
以上のように第２実施形態でも、第１実施形態と同様の効果を奏する。特に第２実施形態では、印刷ジョブの実行中は重畳バイアスの出力を継続するため、より簡易な制御で、二次転写を行うまでに狙いのバイアス値を二次転写部対向ローラ６３に印加できる。
【００９６】
（第３実施形態）
第３実施形態では、ＤＣバイアスでの高圧出力や逆バイアスでの高圧出力を行うＤＣ電源についてもリレーで切り替える例について説明する。以下では、第１実施形態との相違点の説明を主に行い、第１実施形態と同様の機能を有する構成要素については、第１実施形態と同様の名称・符号を付し、その説明を省略する。
【００９７】
図１２は、第３実施形態の印刷装置４０１の電気的構成の一例を示すブロック図である。図１２に示すように、第３実施形態の印刷装置４０１では、二次転写電源５００及びエンジン制御部４００のＣＰＵ４４０の電源制御部４４２が第１実施形態の印刷装置１と相違する。
【００９８】
図１３は、第３実施形態の二次転写電源５００の電気的構成の一例を示すブロック図である。図１３に示すように、第３実施形態の二次転写電源５００は、ＤＣ用リレー５４５を更に備える点で第１実施形態と相違する。
【００９９】
ＤＣ用リレー５４５は、二次転写部対向ローラ６３に対してＤＣ高圧出力を行うか否かを切り替えるリレーであり、Ｉ／Ｏ制御部１１０から入力されるＤＣＲＹ信号によりオン／オフが切り替えられる。ＤＣ用リレー５４５は、オンである場合、出力部２３７によるＤＣ高圧出力を二次転写部対向ローラ６３に対して行う。
【０１００】
このように、第３実施形態の二次転写電源５００では、二次転写部対向ローラ６３に対してＤＣ高圧出力を行うか否かをリレーで切り替える。
【０１０１】
図１４は、重畳バイアスで高圧出力を行う場合の一例のタイミングチャート図である。
【０１０２】
電源制御部４４２は、ユーザ設定が「重畳バイアスで高圧出力」である場合、ＣＰＵ４４０により印刷開始基準信号の入力が受け付けられると、経過時間の計測を開始し、逆バイアス出力信号をオンし、Ｉ／Ｏ制御部１１０から二次転写電源５００へ逆バイアス出力信号を出力させ、その後、ＤＣＲＹ信号をオンし、Ｉ／Ｏ制御部１１０から二次転写電源５００へＤＣＲＹ信号を出力させる。二次転写電源５００は、Ｉ／Ｏ制御部１１０からＤＣＲＹ信号が入力されると、ＤＣ用リレー５４５をオフからオンに切り替え、５０ｍｓ程度経過すると切り替えが完了する。これにより、ＤＣ電源２３０は、逆バイアスでの高圧出力を開始する。
【０１０３】
続いて電源制御部４４２は、印刷開始基準信号の入力が受け付けられてからの経過時間及び特定情報を参照して、ＣＰＵ４４０への印刷開始基準信号の入力後５０ｍｓである第１、第２タイミングになると、重畳バイアス用のＤＣバイアス出力信号である重畳バイアス（ＤＣ）出力信号をオンし、Ｉ／Ｏ制御部１１０から二次転写電源５００へ重畳バイアス（ＤＣ）出力信号を出力させるとともに、重畳バイアス用のＡＣバイアス出力信号である重畳バイアス（ＡＣ）出力信号をオンし、Ｉ／Ｏ制御部１１０から二次転写電源５００へ重畳バイアス（ＡＣ）出力信号を出力させる。これにより、重畳電源２１０は、重畳バイアスでの高圧出力を開始し、２００ｍｓ経過すると、狙いのバイアス値（−１０ｋＶ）となる。但し、この時点では、ＡＣ用リレー２２５がオフであるため、二次転写部対向ローラ６３へは印加されない。
【０１０４】
続いて電源制御部４４２は、記録紙の先端が検知されたことがＣＰＵ４４０に通知されると、逆バイアス出力信号をオフし、Ｉ／Ｏ制御部１１０から二次転写電源５００への逆バイアス出力信号の出力を停止させ、その後、ＤＣＲＹ信号をオフし、Ｉ／Ｏ制御部１１０から二次転写電源５００へのＤＣＲＹ信号の出力を停止させる。これにより、二次転写電源５００は、ＤＣ用リレー５４５をオンからオフに切り替え、５０ｍｓ程度経過すると切り替えが完了し、ＤＣ電源２３０は、逆バイアスでの高圧出力を終了する。
【０１０５】
続いて電源制御部４４２は、印刷開始基準信号の入力が受け付けられてからの経過時間及び特定情報を参照して、ＣＰＵ４４０への印刷開始基準信号の入力後２００ｍｓである第３タイミングになると、ＡＣＲＹ信号をオンし、Ｉ／Ｏ制御部１１０から二次転写電源５００へＡＣＲＹ信号を出力させる。二次転写電源５００は、Ｉ／Ｏ制御部１１０からＡＣＲＹ信号が入力されると、ＡＣ用リレー２２５をオフからオンに切り替え、５０ｍｓ程度経過すると切り替えが完了し、二次転写部対向ローラ６３に対して重畳バイアスでの高圧出力を開始する。これにより、重畳電源２１０は、ＣＰＵ４４０への印刷開始基準信号の入力後２５０ｍｓ経過までに、即ち、二次転写部対向ローラ６３及び二次転写ローラ６４がフルカラーのトナー像を記録紙Ｐ上に転写するまでに、狙いのバイアス値（−１０ｋＶ）を二次転写部対向ローラ６３に印加できる。
【０１０６】
続いて電源制御部４４２は、印刷開始基準信号の入力が受け付けられてからの経過時間及び特定情報を参照して、ＣＰＵ４４０への印刷開始基準信号の入力後７００ｍｓである第４タイミングになると、重畳バイアス（ＤＣ）出力信号及び重畳バイアス（ＡＣ）出力信号をオフし、Ｉ／Ｏ制御部１１０から二次転写電源５００への重畳バイアス（ＤＣ）出力信号及び重畳バイアス（ＡＣ）出力信号の出力を停止させる。これにより、重畳電源２１０は、重畳バイアスでの高圧出力を終了する。また電源制御部４４２は、第４タイミングになると、ＡＣＲＹ信号をオフし、Ｉ／Ｏ制御部１１０から二次転写電源５００へのＡＣＲＹ信号の出力を停止させる。これにより、二次転写電源５００は、ＡＣ用リレー２２５をオンからオフに切り替え、５０ｍｓ程度経過すると切り替えが完了し、重畳電源２１０は、二次転写部対向ローラ６３に対する重畳バイアスでの高圧出力を終了する。
【０１０７】
以上のように第３実施形態でも、第１実施形態と同様の効果を奏する。
【０１０８】
（第４実施形態）
第４実施形態では、ＤＣ電源を逆バイアスでの高圧出力専用の電源とする例について説明する。以下では、第１実施形態との相違点の説明を主に行い、第１実施形態と同様の機能を有する構成要素については、第１実施形態と同様の名称・符号を付し、その説明を省略する。
【０１０９】
図１５は、第４実施形態の印刷装置６０１の電気的構成の一例を示すブロック図である。図１５に示すように、第４実施形態の印刷装置６０１では、二次転写電源７００が第１実施形態の印刷装置１と相違する。
【０１１０】
図１６は、第４実施形態の二次転写電源７００の電気的構成の一例を示すブロック図である。図１６に示すように、二次転写電源７００は、重畳電源７１０と、ＡＣ用リレー２２５と、ＤＣ逆バイアス専用のＤＣ電源７３０とを、備えている。
【０１１１】
重畳電源７１０は、Ｄ／Ａ変換部７１１と、駆動部７１２と、昇圧部７１３と、Ｄ／Ａ変換部２１４と、駆動部２１５と、昇圧部２１６と、出力部２１７とを、備える。
【０１１２】
Ｄ／Ａ変換部７１１は、Ｉ／Ｏ制御部１１０から、昇圧部７１３のＤＣ高圧出力Ｔ２（−）の電流又は電圧を設定するＰＷＭ＿Ｔ２（−）信号（ＤＣバイアス出力信号）が入力され、入力されたＰＷＭ＿Ｔ２（−）信号をデジタルからアナログに変換する。
【０１１３】
駆動部７１２は、Ｄ／Ａ変換部７１１によりアナログに変換されたＰＷＭ＿Ｔ２（−）信号に従って、昇圧部７１３を駆動する。また駆動部７１２は、昇圧部７１３のＤＣ高圧出力Ｔ２（−）の出力電流値及び出力電圧値をＩ／Ｏ制御部１１０に出力する。これは、エンジン制御部１００において、負荷状態を監視するためである。
【０１１４】
昇圧部７１３は、駆動部７１２により駆動され、重畳電源７１０からのＤＣ電圧を変圧して、ＤＣ高圧出力Ｔ２（−）を行う。また昇圧部７１３は、ＤＣ高圧出力Ｔ２（−）の出力電流値及び出力電圧値を駆動部７１２に出力する。なお、ＤＣ高圧出力Ｔ２（−）は、−１００μＡ（−１０ｋＶ）の高圧出力である。
【０１１５】
Ｄ／Ａ変換部２１４は、Ｉ／Ｏ制御部１１０から、昇圧部２１６のＡＣ高圧出力Ｔ２（ＡＣ）の電流又は電圧を設定するＰＷＭ＿Ｔ２（ＡＣ）信号（ＡＣバイアス出力信号）が入力され、入力されたＰＷＭ＿Ｔ２（ＡＣ）信号をデジタルからアナログに変換する。
【０１１６】
駆動部２１５は、Ｄ／Ａ変換部２１４によりアナログに変換されたＰＷＭ＿Ｔ２（ＡＣ）信号に従って、昇圧部２１６を駆動する。また駆動部２１５は、昇圧部２１６のＡＣ高圧出力Ｔ２（ＡＣ）の出力電流値及び出力電圧値をＩ／Ｏ制御部１１０に出力する。これは、エンジン制御部１００において、負荷状態を監視するためである。
【０１１７】
昇圧部２１６は、駆動部２１５により駆動され、重畳電源７１０からのＡＣ電圧を変圧し、ＡＣ高圧出力Ｔ２（ＡＣ）と昇圧部７１３からのＤＣ高圧出力Ｔ２（−）を重畳して重畳高圧出力を行う。また昇圧部２１６は、ＡＣ高圧出力Ｔ２（ＡＣ）の出力電流値及び出力電圧値を駆動部２１５に出力する。なお、ＡＣ高圧出力Ｔ２（ＡＣ）は、１０ｋＶｐｐ（１ｍＡ）の高圧出力である。つまり、重畳電源７１０の重畳高圧出力は、−１００μＡ（−１０ｋＶ）＋１０ｋＶｐｐ（１ｍＡ）の高圧出力となる。
【０１１８】
但し、昇圧部２１６は、ＰＷＭ＿Ｔ２（ＡＣ）信号がＤ／Ａ変換部２１４に入力されておらず、ＡＣ高圧出力Ｔ２（ＡＣ）を行わない場合には、昇圧部７１３からのＤＣ高圧出力Ｔ２（−）をそのまま出力する。
【０１１９】
出力部２１７は、昇圧部２１６からの重畳高圧出力又はＤＣ高圧出力Ｔ２（−）をＡＣ用リレー２２５に出力する。なお出力部２１７は、負荷調整用のコンデンサを有する。
【０１２０】
ＡＣ用リレー２２５は、重畳高圧出力又はＤＣ高圧出力Ｔ２（−）を二次転写部対向ローラ６３に対して行うか否かを切り替えるリレーであり、Ｉ／Ｏ制御部１１０から入力されるＡＣＲＹ信号によりオン／オフが切り替えられる。ＡＣ用リレー２２５は、オンである場合、重畳高圧出力又はＤＣ高圧出力Ｔ２（−）を二次転写部対向ローラ６３に対して行う。
【０１２１】
ＤＣ電源７３０は、Ｄ／Ａ変換部２３４と、駆動部２３５と、昇圧部２３６と、出力部２３７とを、備える。
【０１２２】
Ｄ／Ａ変換部２３４は、Ｉ／Ｏ制御部１１０から、昇圧部２３６のＤＣ高圧出力Ｔ２（＋）の電流又は電圧を設定するＰＷＭ＿Ｔ２（＋）信号（逆バイアス出力信号）が入力され、入力されたＰＷＭ＿Ｔ２（＋）信号をデジタルからアナログに変換する。
【０１２３】
駆動部２３５は、Ｄ／Ａ変換部２３４によりアナログに変換されたＰＷＭ＿Ｔ２（＋）信号に従って、昇圧部２３６を駆動する。また駆動部２３５は、昇圧部２３６のＤＣ高圧出力Ｔ２（＋）の出力電流値及び出力電圧値をＩ／Ｏ制御部１１０に出力する。これは、エンジン制御部１００において、負荷状態を監視するためである。
【０１２４】
昇圧部２３６は、駆動部２３５により駆動され、ＤＣ電源７３０からのＤＣ電圧を変圧して、ＤＣ高圧出力Ｔ２（＋）を行う。また昇圧部２３６は、ＤＣ高圧出力Ｔ２（＋）の出力電流値及び出力電圧値を駆動部２３５に出力する。
【０１２５】
出力部２３７は、昇圧部２３６のＤＣ高圧出力Ｔ２（＋）を二次転写部対向ローラ６３に対して行う。
【０１２６】
なお、重畳バイアスで高圧出力を行う場合の転写制御処理については、第１実施形態と同様である。つまり、重畳バイアスで高圧出力を行う場合のタイミングチャート図は、図７となり、転写制御処理を示すフローチャートは、図８となる。
【０１２７】
以上のように第４実施形態でも、第１実施形態と同様の効果を奏する。
【０１２８】
（第５実施形態）
第５実施形態では、重畳バイアス（ＤＣ）出力信号及び重畳バイアス（ＡＣ）出力信号を第４実施形態と異なるタイミングで出力する例について説明する。具体的には、第５実施形態では、第４実施形態の電源構成で、重畳バイアス（ＤＣ）出力信号及び重畳バイアス（ＡＣ）出力信号を第２実施形態で説明したタイミングで出力する例について説明する。以下では、第４実施形態との相違点の説明を主に行い、第４実施形態と同様の機能を有する構成要素については、第４実施形態と同様の名称・符号を付し、その説明を省略する。但し、第４実施形態との相違点であっても第２実施形態と同様の機能を有する構成要素については、第２実施形態と同様の名称・符号を付し、その説明を省略する。
【０１２９】
図１７は、第５実施形態の印刷装置８０１の電気的構成の一例を示すブロック図である。図１７に示すように、第５実施形態の印刷装置８０１のエンジン制御部３００は、第２実施形態と同様である。つまり、ＲＯＭ３３０は、第１タイミング〜第５タイミングを特定する特定情報を記憶する。電源制御部３４２は、第１、第２タイミングになると、Ｉ／Ｏ制御部１１０から二次転写電源２００へ重畳バイアス（ＤＣ）出力信号を出力させるとともに、Ｉ／Ｏ制御部１１０から二次転写電源２００へ重畳バイアス（ＡＣ）出力信号を出力させる。電源制御部３４２は、第３タイミングになると、Ｉ／Ｏ制御部１１０から二次転写電源２００へＡＣＲＹ信号を出力させ、ＡＣ用リレー２２５をオフからオンに切り替えさせる。電源制御部３４２は、第４タイミングになると、Ｉ／Ｏ制御部１１０から二次転写電源２００へＡＣＲＹ信号の出力を停止させ、ＡＣ用リレー２２５をオンからオフに切り替えさせる。電源制御部３４２は、第５タイミングになると、Ｉ／Ｏ制御部１１０から二次転写電源２００への重畳バイアス（ＤＣ）出力信号及び重畳バイアス（ＡＣ）出力信号の出力を停止させる。
【０１３０】
なお、重畳バイアスで高圧出力を行う場合の転写制御処理については、第２実施形態と同様である。つまり、重畳バイアスで高圧出力を行う場合のタイミングチャート図は、図１０となり、転写制御処理を示すフローチャートは、図１１となる。
【０１３１】
以上のように第５実施形態でも、第２実施形態と同様の効果を奏する。
【０１３２】
（第６実施形態）
第６実施形態では、逆バイアスでの高圧出力専用のＤＣ電源についてもリレーで切り替える例について説明する。具体的には、第６実施形態では、第４実施形態の電源構成で、逆バイアスでの高圧出力専用のＤＣ電源についてもリレーで切り替える例について説明する。以下では、第４実施形態との相違点の説明を主に行い、第４実施形態と同様の機能を有する構成要素については、第４実施形態と同様の名称・符号を付し、その説明を省略する。但し、第４実施形態との相違点であっても第３実施形態と同様の機能を有する構成要素については、第３実施形態と同様の名称・符号を付し、その説明を省略する。
【０１３３】
図１８は、第６実施形態の印刷装置９０１の電気的構成の一例を示すブロック図である。図１８に示すように、第６実施形態の印刷装置９０１では、二次転写電源１０００が第４実施形態の印刷装置６０１と相違する。
【０１３４】
図１９は、第６実施形態の二次転写電源１０００の電気的構成の一例を示すブロック図である。図１９に示すように、第６実施形態の二次転写電源１０００は、ＤＣ用リレー５４５を更に備える点で第４実施形態と相違する。
【０１３５】
ＤＣ用リレー５４５は、二次転写部対向ローラ６３に対してＤＣ高圧出力を行うか否かを切り替えるリレーであり、Ｉ／Ｏ制御部１１０から入力されるＤＣＲＹ信号によりオン／オフが切り替えられる。ＤＣ用リレー５４５は、オンである場合、出力部２３７によるＤＣ高圧出力を二次転写部対向ローラ６３に対して行う。
【０１３６】
このように、第６実施形態の二次転写電源１０００では、二次転写部対向ローラ６３に対して逆バイアスでの高圧出力を行うか否かをリレーで切り替える。
【０１３７】
なお第６実施形態の印刷装置９０１のエンジン制御部４００は、第３実施形態と同様であり、重畳バイアスで高圧出力を行う場合の転写制御処理についても、第３実施形態と同様である。つまり、重畳バイアスで高圧出力を行う場合のタイミングチャート図は、図１４となる。
【０１３８】
以上のように第６実施形態でも、第３実施形態と同様の効果を奏する。
【０１３９】
（ハードウェア構成）
上記各実施形態の印刷装置は、ＣＰＵなどの制御装置と、ＲＯＭやＲＡＭなどの記憶装置と、ＨＤＤやＳＳＤなどの外部記憶装置と、ディスプレイなどの表示装置と、マウスやキーボードなどの入力装置と、通信Ｉ／Ｆなどの通信装置とを備えており、通常のコンピュータを利用したハードウェア構成となっている。
【０１４０】
上記各実施形態の印刷装置で実行されるプログラムは、インストール可能な形式又は実行可能な形式のファイルでＣＤ−ＲＯＭ、ＣＤ−Ｒ、メモリカード、ＤＶＤ、フレキシブルディスク（ＦＤ）等のコンピュータで読み取り可能な記憶媒体に記憶されて提供される。
【０１４１】
また、上記各実施形態の印刷装置で実行されるプログラムを、インターネット等のネットワークに接続されたコンピュータ上に格納し、ネットワーク経由でダウンロードさせることにより提供するようにしてもよい。また、上記各実施形態の印刷装置で実行されるプログラムを、インターネット等のネットワーク経由で提供または配布するようにしてもよい。また、上記各実施形態の印刷装置で実行されるプログラムを、ＲＯＭ等に予め組み込んで提供するようにしてもよい。
【０１４２】
上記各実施形態の印刷装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各部がコンピュータ上で実現されるようになっている。
【０１４３】
（変形例）
なお、本発明は、上記各実施形態に限定されるものではなく、種々の変形が可能である。
【０１４４】
（変形例１）
上記各実施形態では、印刷開始基準信号や印刷ジョブの開始・終了を基準として各種タイミングを特定していたが、タイミングの特定手法は、これに限定されるものではない。例えば、印刷開始基準信号を基準としていずれかのタイミングを特定し、特定したタイミングを基準として他のタイミングを特定するなどとしてもよい。
【０１４５】
（変形例２）
上記各実施形態では、レザック紙などの凹凸の大きい記録紙に画像を転写する場合に直流電圧と交流電圧とを重畳した重畳バイアスによる高圧出力を行う例について説明したが、これに限定されるものではない。凹凸の大きい記録紙に画像を転写する場合に、例えば、交流電圧（交流バイアス）のみによる高圧出力を行ってもよく、少なくとも交流電圧を用いた高圧出力を行えばよい。
【０１４６】
（変形例３）
上記各実施形態では、転写バイアス用の二次転写電源を二次転写部対向ローラ６３に接続して転写バイアスを印加する例について説明したが、転写バイアス用の二次転写電源を二次転写ローラ６４に接続して転写バイアスを印加するようにしても、問題なく記録紙へトナー像を転写することができる。また例えば、転写バイアス用の二次転写電源の一方を二次転写部対向ローラ６３に接続し、他方を二次転写ローラ６４に接続する形態でも、問題なく記録紙へトナー像を転写することができる。
【０１４７】
（変形例４）
上記各実施形態では、高圧出力の出力タイミングをソフトウェアにより特定していたが、ハードウェアで特定するようにしてもよい。
【０１４８】
（変形例５）
例えば、図２０に示すように、感光体ドラム１１０３に中抵抗の転写ローラ１１０２を接触させ、転写ローラ１１０２に電源１１０１からバイアスを印加し、トナーを用紙１１０４に転写させ、かつ用紙１１０４を搬送させる構成において、電源１１０１に上記各実施形態と同様の電源構成を採用してもよい。
【０１４９】
なお、感光体ドラム１１０３などを有する作像部の構成は、上記各実施形態と同様であり、転写ローラ１１０２は、ステンレスやアルミニウム等からなる芯金上に導電性のスポンジからなる抵抗層が形成される。なお、抵抗層の表面にフッ素樹脂等からなる表層を設けてもよい。
【０１５０】
また、感光体ドラム１１０３及び転写ローラ１１０２が当接して転写ニップ（図示省略）が形成されている。感光体ドラム１１０３は接地され、転写ローラ１１０２は、電源１１０１が接続され、転写バイアスが印加される。これにより、感光体ドラム１１０３と転写ローラ１１０２との間に、感光体ドラム１１０３から転写ローラ１１０２側に向けてトナーを静電移動させる転写電界が形成され、感光体ドラム１１０３上のトナー像は、転写電界やニップ圧の作用によって転写ニップに向けて送り出された用紙１１０４に転写される。
【０１５１】
（変形例６）
例えば、図２１に示すように、感光体ドラムに中抵抗の転写ベルト１２０４を接触させ、転写ベルト１２０４に電源１２０１からバイアスを印加し、トナーを用紙に転写させ、かつ用紙を搬送させる構成において、電源１２０１に上記各実施形態と同様の電源構成を採用してもよい。
【０１５２】
なお、感光体ドラムなどを有する作像部の構成は、上記各実施形態と同様である。転写ベルト１２０４は、駆動ローラ１２０２と従動ローラ１２０３との間に架け回されて支持され、駆動ローラ１２０２によって図中矢印で示す方向に走行する。転写ベルト１２０４は駆動ローラ１２０２と従動ローラ１２０３との間の位置で感光体ドラムと当接する。転写ベルト１２０４のループ内側には転写バイアスローラ１２０５とバイアスブラシ１２０６とが設けられ、感光体ドラムと転写ベルト１２０４とが当接する領域よりも下流側の位置でベルトに当接する。
【０１５３】
また、感光体ドラム及び転写バイアスローラ１２０５が当接して転写ニップ（図示省略）が形成されている。感光体ドラムは接地され、転写バイアスローラ１２０５は、電源１２０１が接続され、転写バイアスが印加される。これにより、感光体ドラムと転写バイアスローラ１２０５との間に、感光体ドラムから転写バイアスローラ１２０５側に向けてトナーを静電移動させる転写電界が形成され、感光体ドラム上のトナー像は、転写電界やニップ圧の作用によって転写ニップに向けて送り出された用紙に転写される。
【０１５４】
なお、転写バイアスローラ１２０５及びバイアスブラシ１２０６は、いずれか一方のみを設けるようにしてもよい。また、転写バイアスローラ１２０５及びバイアスブラシ１２０６のいずれかを転写ニップ直下に設けてもよい。また、転写バイアスローラ１２０５及びバイアスブラシ１２０６に替えて、転写チャージャを用いてもよい。
【０１５５】
（変形例７）
例えば、図２２に示すように、ＣＭＹＫ各色の感光体ドラムに中抵抗の転写ベルト１３０３を介してＣＭＹＫ各色の転写ローラ１３０４Ｃ、１３０４Ｍ、１３０４Ｙ、及び１３０４Ｋを接触させ、転写ローラ１３０４Ｃ、１３０４Ｍ、１３０４Ｙ、及び１３０４Ｋそれぞれに電源１３０１Ｃ、１３０１Ｍ、１３０１Ｙ、１３０１Ｋからバイアスを印加し、トナーを用紙に転写させ、かつ用紙を搬送させる構成において、電源１３０１Ｃ、１３０１Ｍ、１３０１Ｙ、１３０１Ｋに上記各実施形態と同様の電源構成を採用してもよい。
【０１５６】
ＣＭＹＫ各色の感光体ドラムなどを有する各色作像部の構成は、トナー色が異なる点を除き、上記各実施形態と同様である。
【０１５７】
転写ベルト１３０３は、複数のローラの間に架け回されて支持され、図中反時計回りに走行する。転写ベルト１３０３は、各色の感光体ドラムそれぞれと当接する。転写ベルト１３０３のループ内側には各色の転写ローラ１３０４Ｃ、１３０４Ｍ、１３０４Ｙ、及び１３０４Ｋが設けられ、各色の感光体ドラムに対向して転写ベルト１３０３に当接する。
【０１５８】
転写ローラ１３０４ＣとＣ色の感光体ドラムとが当接して転写ニップが形成されている。Ｃ色の感光体ドラムは、接地され、転写ローラ１３０４Ｃは、電源１３０１Ｃが接続され、転写バイアスが印加される。転写ローラ１３０４Ｃには、電源１３０１Ｃによって転写バイアスが印加される。これにより、転写ニップにおいてＣ色の感光体ドラムから転写ローラ１３０４Ｃ側に向けてＣ色のトナーを静電移動させる転写電界が形成される。なお、他の色の感光体ドラム、転写ローラ及び電源においても、上述と同様の動作が行われる。
【０１５９】
用紙は、図右下側から搬送され、バイアス印加された紙吸着ローラと転写ベルト１３０３の間を通過することで転写ベルト１３０３に吸着した後、各色の転写ニップへ搬送される。感光体ドラム上の各色のトナー像は、転写電界やニップ圧の作用によって、転写ニップへ搬送された用紙に順次転写され、用紙にフルカラートナー像が形成される。
【０１６０】
なお、電源１３０１Ｃ、１３０１Ｍ、１３０１Ｙ、及び１３０１Ｋを色毎に用意せずに、１つの電源とし、転写ローラ１３０４Ｃ、１３０４Ｍ、１３０４Ｙ、及び１３０４Ｋにバイアスを印加してもよい。
【０１６１】
（変形例８）
例えば、図２３に示すように、感光体ドラムの近傍に転写チャージャ１４０２及び分離チャージャ１４０４を配置して、紙を転写・分離させて搬送させる方式において、転写チャージャ１４０２のワイヤーに電源１４０１からバイアスを印加し、トナーを用紙に転写させ、かつ用紙を搬送させる場合に、電源１４０１に上記各実施形態と同様の電源構成を採用してもよい。
【０１６２】
用紙は、レジストローラ１４０３通過後、転写チャージャ１４０２にて転写され、分離チャージャ１４０４にて分離されて定着部へと搬送される。
【０１６３】
（変形例９）
例えば、図２４に示すように、中間転写ベルト１５０２に二次転写ベルト１５０４を接触させて、用紙を転写・分離させて搬送させる方式において、対向ローラ１５０３に電源１５０１からバイアスを印加し、トナーを用紙に転写させ、かつ用紙を搬送させる場合に、電源１５０１に上記各実施形態と同様の電源構成を採用してもよい。
【０１６４】
ＣＭＹＫ各色の感光体ドラムなどを有する各色作像部の構成は、トナー色が異なる点を除き、上記各実施形態と同様である。
【０１６５】
二次転写ベルト１５０４は、駆動ローラ１５０５と従動ローラ１５０６との間に架け回されて支持され、駆動ローラ１５０５によって図中反時計回りに走行する。二次転写ベルト１５０４は、中間転写ベルト１５０２と当接する。
【０１６６】
二次転写ベルト１５０４と中間転写ベルト１５０２とが当接して二次転写ニップが形成されている。駆動ローラ１５０５は、接地され、対向ローラ１５０３は、電源１５０１が接続され、転写バイアスが印加される。これにより、二次転写ニップにおいて中間転写ベルト１５０２から二次転写ベルト１５０４側に向けてトナーを静電移動させる転写電界が形成される。中間転写ベルト１５０２上のトナー像は、二次転写電界やニップ圧の作用によって、二次転写ニップに進入した用紙に転写される。
【０１６７】
なお、対向ローラ１５０３も接地するとともに、ローラＣを設け、ローラＣに電源１５０１を接続し、転写バイアスを印加するようにしてもよい。
【０１６８】
（変形例１０）
また例えば、上記各実施形態において、印刷装置に加えサーバ装置を備えた印刷システムとし、サーバ装置が、電源制御部を備えるようにしてもよい。
【０１６９】
図２５は、変形例１０の印刷システム２０００の一例を示す外観図である。印刷システム２０００は、プロダクションプリンティング機であり、サーバ装置２０２０を備える。サーバ装置２０２０は、例えば、外付けサーバやＤＦＥ（Digital  Front  End）などと呼ばれる外部コントローラが該当する。印刷システム２０００は、印刷装置２００１に、給紙を行う大容量給紙ユニット２００２、表紙等の利用に使われるインサータ２００３、折りを行う折りユニット２００４、ステープルやパンチなどを行うフィニッシャー２００５、及び裁断を行う断裁機２００６などの周辺機が用途に合わせて組み合わされる。
【０１７０】
図２６は、変形例１０のサーバ装置２０２０の一例を示すハードウェア構成図である。図２６に示すように、サーバ装置２０２０は、通信Ｉ／Ｆ部２０３０と、記憶部２０４０（ＨＤＤ２０４２、ＲＯＭ２０４４、ＲＡＭ２０４６）と、画像処理部２０５０と、ＣＰＵ２０９０と、Ｉ／Ｆ部２０６０とを備え、それぞれがバスＢ２で相互に接続されている。ＣＰＵ２０９０は、電源制御部２０９１を含む。
【０１７１】
図２６の例では、サーバ装置２０２０は専用線２１００を介して印刷装置２００１と接続される。但し、サーバ装置２０２０と印刷装置２００１との接続形態はこれに限定されず、例えば、サーバ装置２０２０と印刷装置２００１との必要な通信速度を担保できれば、サーバ装置２０２０と印刷装置２００１とをネットワークを介して接続してもよい。
【０１７２】
図２６に示すように、印刷装置２００１は、Ｉ／Ｆ部２１１０と、印刷部２１０２と、操作表示部２１６０と、その他Ｉ／Ｆ部２１７０と、二次転写電源２１８０とを備え、それぞれがバスＢ３で接続されている。Ｉ／Ｆ部２１１０は、印刷装置２００１をサーバ装置２０２０に接続するための手段であり、Ｉ／Ｆ部２１１０には専用線２１００が接続される。印刷装置２００１は、サーバ装置２０２０のＣＰＵ２０９０の制御の下、印刷ジョブを実行する。
【０１７３】
そして、サーバ装置２０２０に搭載された電源制御部２０９１が、上記各実施形態の印刷装置の電源制御部が実行している処理を実行する。
【０１７４】
（変形例１１）
なお、上述した各実施形態及び各変形例は、一例を示すものであり、構成やプロセス条件が変わっても本発明を実現できることを他の画像形成装置や種々の画像形成環境で確認している。
【符号の説明】
【０１７５】
１、３０１、４０１、６０１、８０１、９０１  印刷装置
１０Ｙ、１０Ｍ、１０Ｃ、１０Ｋ  画像形成部
１１Ｙ、１１Ｍ、１１Ｃ、１１Ｋ  感光体ドラム
２０Ｙ、２０Ｍ、２０Ｃ、２０Ｋ  帯電装置
３０Ｙ、３０Ｍ、３０Ｃ、３０Ｋ  現像装置
３１Ｙ  収容容器
３２Ｙ  現像スリーブ
３３Ｙ  スクリュー部材
４０Ｙ、４０Ｍ、４０Ｃ、４０Ｋ  一次転写ローラ
５０Ｙ、５０Ｍ、５０Ｃ、５０Ｋ  クリーニング装置
５１Ｙ  クリーニングブレード
５２Ｙ  クリーニングブラシ
６０  中間転写ベルト
６１、６２  支持ローラ
６３  二次転写部対向ローラ
６４  二次転写ローラ
７０  用紙カセット
７１  給紙ローラ
７２  搬送ローラ対
９０  定着装置
１００、３００、４００  エンジン制御部
１１０  Ｉ／Ｏ制御部
１２０  ＲＡＭ
１３０、３３０  ＲＯＭ
１４０、３４０、４４０  ＣＰＵ
１４２、３４２、４４２  電源制御部
２００、５００、７００、１０００  二次転写電源
２１０、７１０  重畳電源
２１１  Ｄ／Ａ変換部
２１２  駆動部
２１３  昇圧部
２１４  Ｄ／Ａ変換部
２１５  駆動部
２１６  昇圧部
２１７  出力部
２２５  ＡＣ用リレー
２３０、７３０  ＤＣ電源
２３１  Ｄ／Ａ変換部
２３２  駆動部
２３３  昇圧部
２３４  Ｄ／Ａ変換部
２３５  駆動部
２３６  昇圧部
２３７  出力部
５４５  ＤＣ用リレー
７１１  Ｄ／Ａ変換部
７１２  駆動部
７１３  昇圧部
２０００  印刷システム
２００２  大容量給紙ユニット
２００３  インサータ
２００４  折りユニット
２００５  フィニッシャー
２００６  断裁機
２０２０  サーバ装置
２０３０  通信Ｉ／Ｆ部
２０４０  記憶部
２０４２  ＨＤＤ
２０４４  ＲＯＭ
２０４６  ＲＡＭ
２０５０  画像処理部
２０６０  Ｉ／Ｆ部
２０９０  ＣＰＵ
２０９１  電源制御部
２１００  専用線
２１０２  印刷部
２１１０  Ｉ／Ｆ部
２１６０  操作表示部
２１７０  その他Ｉ／Ｆ部
２１８０  二次転写電源
Ｂ２  バス
Ｂ３  バス
【先行技術文献】
【特許文献】
【０１７６】
【特許文献１】特開２０１２−４２８３５号公報
【図１】
2014059433.tif 000003
【図２】
2014059433.tif 000004
【図３】
2014059433.tif 000005
【図４】
2014059433.tif 000006
【図５】
2014059433.tif 000007
【図６】
2014059433.tif 000008
【図７】
2014059433.tif 000009
【図８】
2014059433.tif 000010
【図９】
2014059433.tif 000011
【図１０】
2014059433.tif 000012
【図１１】
2014059433.tif 000013
【図１２】
2014059433.tif 000014
【図１３】
2014059433.tif 000015
【図１４】
2014059433.tif 000016
【図１５】
2014059433.tif 000017
【図１６】
2014059433.tif 000018
【図１７】
2014059433.tif 000019
【図１８】
2014059433.tif 000020
【図１９】
2014059433.tif 000021
【図２０】
2014059433.tif 000022
【図２１】
2014059433.tif 000023
【図２２】
2014059433.tif 000024
【図２３】
2014059433.tif 000025
【図２４】
2014059433.tif 000026
【図２５】
2014059433.tif 000027
【図２６】
2014059433.tif 000028